(57)【要約】      （修正有）【課題】組み立て・分解時間の短縮化、運搬の容易性、並びに小スペースでの保管も可能とする可動式折りたたみ屋台を提供する。【解決手段】屋根板１Ａ、１Ｂ、床板、左右一対の側面板３Ｃ、３Ｄ、及び前後一対の板４、５から構成され、各板は複数の蝶番により接合され、蝶番を支点として折り畳み可能構造を備えたことを特徴とする。【選択図】図２
0003199732.tif 000002
【実用新案登録請求の範囲】
【請求項１】
本考案は、屋根板、左右一対の側面板および前後一対の板から構成され、前記各板は複数の開閉自在工具により接合され、該開閉自在工具を支点として折り畳み可能となっている屋台。
【請求項２】
本考案は、屋根板、床板、左右一対の側面板および前後一対の板から構成され、前記各板が複数の開閉自在工具により接合され、該開閉自在工具を支点として折り畳み可能となっている屋台。
【請求項３】
上記開閉自在工具が蝶番であることを特徴とする請求項１または請求項２記載の屋台。
【請求項４】
本考案は、前面の板には商品の受け渡しが出来るように開口部もしくは開閉式窓が具備された請求項１または請求項２記載の屋台。
【請求項５】
本考案は、前後一対の板底面もしくは左右一対の側面板底面の四隅にキャスターが具備された請求項１または請求項２記載の屋台。
【考案の詳細な説明】
【技術分野】
【０００１】本考案は、商店街やホテル等のイベント会場やパーティー会場でのタイムバーゲンセールや商品陳列、お祭り会場での鉄板焼きやお土産の陳列などで使用する可動式折りたたみ屋台に関する。
【背景技術】
【０００２】従来、商店街のイベントやホテル等のイベント会場や祭り会場にて屋台が多数に使用されているが完成型屋台あるいは所要の構成部材をボルトやナット等の結合金具を用いて組み立てる屋台がある。
【先行技術文献】
【特許文献】
【０００３】
【特許文献１】実用新案公報平４−２７９６１号
【特許文献２】実用新案登録３１３５３０号
【０００４】
【考案の概要】
【考案が解決しようとする課題】
【０００５】従来、商店街のイベントやホテル等のイベント会場や祭り会場にて屋台が多数に使用されているが完成型屋台あるいは所要の構成部材をボルトやナット等の結合金具を用いて組み立てる屋台であり運搬や組み立てや分解時間の浪費、並びに保管場所の確保などに難点がある。【０００６】特許文献１には、従来の課題である組み立て・分解時間の短縮化や運搬を容易にするために簡単な部材を組み立てる屋台の構造が記載されている。しかし、該考案の屋台は屋台自体のサイズを小型化することで組み立て時間短縮や運搬を容易にできるものである。【０００７】特許文献２にも同様にキャスター付きの土台に側面を組み込んだ販売台に支柱を立て屋根板を設置した構造の屋台が記載されている。これにより組み立て・分解時間の短縮が可能、かつ運搬に対しても従来の課題をある程度は解決することが可能となっている。しかしながら、各部材を保管する際に保管場所を最小面積にするために各部材を紐などで括るなど出展時以外にも時間を要すること、並びに野外時の屋台出店では販売員側には雨よけがないために販売員側に別途テントの立設や雨具着用を必要とするなどの課題がある。
【課題を解決するための手段】
【０００８】上記課題に鑑み、考案者は誠意工夫の結果、屋台本体を構成する各面（壁）に蝶番を使用して開閉自在にできる折りたたみ構造とし、且つ下板にキャスター等の移動可能な部材を具備させることにより従来からの課題を克服することを見出した。
【考案の効果】
【０００９】本考案の可動式完全折りたたみ式屋台によれば、従来の屋台より組み立て・分解、運搬および保管に関する課題を克服することが可能となる。
【図面の簡単な説明】
【００１０】
【図１】本考案による一実施例である折り畳み式屋台である。
【図２】本考案による一実施例である折り畳み式屋台を折り畳み作業の途中段階を示したものである。
【図３】折り畳み作業の途中を示した図２の一部拡大図であり、蝶番を支点として各板が折り畳めることを示したものである。
【図４】本考案による床板を具備した折り畳み式屋台の拡大図であり、蝶番を支点として床板が後板に折り畳めることを示したものである。
【図５】前面板４の端部にキャスターを取り付けたものである。
【考案を実施するための形態】
【００１１】以下、本考案に係る実施の形態を図面により説明する。
【実施例】
【００１２】図１は、本考案による可動式完全折りたたみ式屋台の一実施例を示し、屋根部は屋根板１Ａ、屋根板１Ｂから構成、床部は底板２Ａ、底板２Ｂから構成、側面部は側面板３Ａ、側面板３Ｂ、側面板３Ｂ、側面板３Ｄ、並びに前板４と後板５の各構成部材にて建造されている。側面板３Ｂには従業員の出入口用の開口部６が具備されており、前板４には顧客との商品受渡し用の開口部７が具備されている。【００１３】具体的には、側面板３Ａの端部と後板５の端部、並びに側面板３Ｂの端部と前板４の端部は蝶番により接合、同様に側面板３Ｃの端部と後板５の端部、並びに側面板３Ｄと後板５の端部も蝶番により接合され、該蝶番を支点として折り畳み可能となっている。【００１４】一方、天井板１Ａの端部と後板５の端部、並びに天井板１Ｂの端部と後板５の端部も蝶番により接合され、該蝶番を支点として折り畳み可能となっている。更に、床板２Ａの端部と後板５の端部、並びに床板２Ｂの端部と後板５の端部も蝶番により接合され、該蝶番を支点として折り畳み可能となっている。【００１５】図２は、本考案の屋台を組立て途中、或いは、解体途中の様子を示したものであり天井板１Ａは蝶板を介して前板４の外面側に閉じ、天井板１Ｂは蝶板を介して後板５の外面側に閉じる。同様に床板２Ａと２Ｂは蝶番を介して天井部に向かって閉じる構造となっている。【００１６】図３は、折り畳み可能とするための本考案の屋台構成領域の一部であり、天井板１Ｂと側面板３Ｂは蝶番８により接合され天井板１Ｂは開閉可能となる。側面板３Ｂは蝶番９により後板５と接合され、該側面板３Ｂは屋台内部側の該後板５面に折り畳むことが可能となる。同様に側面板３Ｂと側面板３Ａは屋台外側から蝶番１０により接合されており、該側面板３Ａと該側面板３Ｂは外部面側にて折り畳むことが可能となる。【００１７】図４は、床板を備えた本考案の折り畳み式屋台の一部であり床板２Ａと２Ｂから構成されている。床板２Ｂは蝶番１２と蝶番１３を介して後板５の段差部に収納される構造となっており２Ｂが後板５に完全に収納されることで本考案の屋台が完全に折り畳むことが可能となる。
図示していないが床板２Ａは、図４と同様に前板４に段差を具備させ収納できる構造としている。【００１８】図５は、前面板４にキャスター１１を設置させることにより本考案の屋台の運搬を容易にさせることができる。運搬を容易にさせるには少なくとも前板４の両端部および後板５の両端部にキャスター１１を設置させる【００１９】尚、実施例に記載した本考案は一例に過ぎず、例えば前後板を折り畳み式構造にしても良く、各板は２枚のみならず３枚以上にすることも可能である。また、板にて壁を示したが壁でなく枠組み柱にしても良い。更には、開閉自在の工具であれば蝶番に限定するものでない。
【産業上の利用可能性】
【００２０】本考案は、屋台のみならず物置などにも利用できる。
【符号の説明】
【００２１】１Ａ  天井板
１Ｂ  天井板
２Ａ  床板
２Ｂ  床板
３Ａ  側面板
３Ｂ  側面板
３Ｃ  側面板
３Ｄ  側面板
４    前板
５    後板
６    出入口
７    商品受渡し用の開口部
８    蝶番
９    蝶番
１０  蝶番
１１  キャスター
１２  蝶番
１３  蝶番
【図１】
0003199732.tif 000003
【図２】
0003199732.tif 000004
【図３】
0003199732.tif 000005
【図４】
0003199732.tif 000006
【図５】
0003199732.tif 000007